(57)【要約】      （修正有）【課題】  グリーン上のゴルフボールを確実にホールインさせる。【解決手段】  通常より長めのグリップ１の上部にピン２を貫通して固定し、前記グリップ１をシャフト３の一端に固定し、他端にパターヘッド４を固定したパタークラブである。  前記パタークラブの使い方は左手の人差し指と中指、又は中指と薬指の間にグリップ１を挟みピン２でパタークラブを振り子のように回転自在に支持する。右手はグリップ１の下部を親指と人差し指で挟み、ラインとホールを見てパターヘッド４をホールの方向に押し出す。【選択図】  図１
2005034562.tif 000002
【特許請求の範囲】
【請求項１】
通常使用するゴルフパターの構造において、打出す方向にグリップの上部の両面を平面にし、これに直角に、支点となる位置にグリップを貫通する形にピンを固定し、そのピンを指で支持し、目標方向に正確に打ち出す事を特徴としたゴルフパター。
【請求項２】
グリップの一部を親指の腹が当たる位置に円弧状に凹みを設け、（請求項１）記載の効果を狙いとしたゴルフパター。
【発明の詳細な説明】
【発明の詳細な説明】
【産業上の利用分野】
【０００１】  本発明は、ゴルフ競技に使用するパターの改良に関する。
【背景技術】
【０００２】  ゴルフ競技において、グリーン上のパットが勝負を分ける。従来のパターは、高度な技術と精神力を習得した者が勝利者となる。これを克服するために、これまで数多くのパターが考案されてきた。然し、その多くはボールをヒットする面やソールの形状、大きさや重さ、シャフトの長さなどに関するものが大半である。又、振子運動をクレームにした特許なども出願されているが、構造が複雑なため実用になっていないのが実状である。
【発明が解決しようとする課題】
【０００３】  本発明は、ゴルフのスコアメークを左右するグリーン上のパットを、簡単な構造で、正確に方向性を出し、特にプレッシャーが掛かった時のショートパットを確実にホールインすることを課題とした。
【課題を解決するための手段】
【０００４】  本発明は、前記の課題を解決するため、単純な振子運動を確実にする目的でパターのグリップ部を改良する。１）グリップの上部に打つ方向と直角にピンを固定する。２）グリップ部の長さを長くする。３）ソールを円弧状にする。４）ピンの代わりに、親指の腹がしっくり入るように円弧状の窪みを作り、反対側は平面にする。などによって課題を解決するものである。
【作用】
【０００５】  ゴルフ競技に於けるスコアメークは、パターによるグリーン上の勝負だといわれる。特にプロの場合は、１打が何百万円にも相当する。その時の精神的なプレッシャーは想像外のものである。特に、ショートパットに対するメンタルな影響は計り知れない。そこで、本発明は、従来のパターに少し手を加える事によって自信を持ってパッテングが出来るように改良したものである。
その作用は、ロングパターの原理を普通の長さのパターに合理的に応用した事である。先ず、右利きの人の場合で説明すると、左手の人差指と中指、又は中指と薬指の間にグリップの上部を挟み、その部が支点になるように打ち出す方向と直角にピンを打ち込み、上記指でパターの重さを支え、打ち出す方向に自由に振子運動が出来るようにする。右手は普通より下部に、親指と人差指の付け根で持ち、脇を締めてラインを決めたらラインとホールだけを見て打つ。その為、ボールとパターの間を距離に応じて開けてセット（Ａ）し、そのストロークでターゲットに向かってボールを見ないで振子のように打つ。
ショートパットで失敗する場合の大半の原因は、バックスイング時に狂う事とボールを見て打つ時にラインとホールから目が離れることにある。
もう一つの方法は、基本的には上記に同じであるが、左手の親指と人差指でグリップの上部を支え易くするため、親指の腹が当たる部分を凹ませて持ちやすく且つ回転しやすくする。ついでに人差指側も平面に加工すると、より効果的である。
【実施例】
【０００６】  本発明の実施例を図面により説明する。
（図１）は、本発明の一実施例を示す概略図で、右利きの場合で説明する。
１．はグリップで、通常の長さより長くする。３．はシャフトでその先の４．パターヘッドで、５．ボールをヒットして転がし、ホールインを目指すものである。その場合、１．グリップの上部に２．ピンを貫通して固定してあり、これに、ａ左手の人差指と中指又は、中指と薬指の間にグリップを挟み２．ピンを支持し振子のように回転自在にする。その状態は、（図５）に示す。次に、１．グリップを通常より長めにし、ｂ右手の親指と人差指で１．グリップを挟み、ホールの方向に押し出す。（図２）と（図３）は１．グリップの上部構造を示し２．ピンは１．グリップに打ち込み固定する。特許先願には、これにスリーブを被せ回転するようにしたものもあるが、これは、ゴルフ規約違反である。
（図４）はＡ−Ａ断面図で、１．グリップの両側を所定の長さに平面にし、その上部に２．ピンを打ち込んだ状態を示す。
（図６）（図７）は、このパターの操作を示す一例である。【０００７】  （図８）（図９）は他の実施例を示すもので、ａ左手の人差指とｃ親指で１．グリップの上部を挟み持ち上げる。その時、７．凹みがあれば、より安定すると同時に、回転もスムースに行える。又、その反対側を８．フラットにすると尚安定する。右手は、前記同様親指と人差指で挟持し、同様の動作を行う。又、４．パターヘッドのソール面は円弧状にすると操作性が良い。
ロングパットの場合は、従来と同じようにその人に慣れた方法で打つのも良い。
【発明の効果】
【０００８】  本発明の（作用）で記したように、本構造の基本動作を良く理解して使用すれば、狙った方向に正確に打ち出すことが出来る。特に、ショートパットに対しては、自信が持てるようになり、プレッシャーが掛かった時でも普段と同様のパット出来るのでプレッシャーに強くなる。その理由は、人間は利き腕及び利き手が感度が良く、ショートパットのように微妙な力のコントロルは利き手の指（この場合右手の人差指）が効果的であるからである。従って、本発明の効果を発揮すための技術を習得するのも早く、慣れるのも早い。
【図面の簡単な説明】
【図１】  本発明の一例の主要部を示す概略図
【図２】  同上  グリップ上部の正面図
【図３】  同上                側面図
【図４】  同上  Ａ−Ａ  断面図
【図５】  同上  左手の使用例を示す上面図
【図６】  同上  使用例を示す側面図
【図７】  同上              正面図
【図８】  本発明の他の実施例の使用例を示す上面図
【図９】  同上  斜視図
【符号の説明】
１．グリップ                          ２．ピン
３．シャフト                          ４．ヘッド
５．ボール                            ６．グリーン
７．凹み                              ８．フラット面
【図１】
2005034562.tif 000003
【図２】
2005034562.tif 000004
【図３】
2005034562.tif 000005
【図４】
2005034562.tif 000006
【図５】
2005034562.tif 000007
【図６】
2005034562.tif 000008
【図７】
2005034562.tif 000009
【図８】
2005034562.tif 000010
【図９】
2005034562.tif 000011